(57)【要約】  本発明の流体組成物は、下記式のグリコールの混合物を含むグリコール成分を含み、典型的には、式中、Ｒ２、Ｒ３、Ｒ４及びＲ５の少なくとも１つは、アルキル基である。本組成物の物理特性としては、高乾燥平衡還流沸点（ＥＲＢＰ）、高湿潤平衡還流沸点（ＷＥＲＢＰ）、低温粘度又はそれらの任意の組み合わせが挙げられる。これらの組成物は、ＤＯＴ  ３、４又は５ブレーキ液についての規定を満たす又は超えるそれらの物理特性（例えば、ＷＥＲＢＰ、ＥＲＢＰ、及び低温粘度）のため、特に有用である。2010540728.tif 000016
2010540728.tif 000002
【特許請求の範囲】
【請求項１】
約５０重量％から約１００重量％のグリコール成分を含み、前記グリコール成分は、式Ｉ：
【化１】
2010540728.tif 000014
の１つ又はそれ以上のグリコールを含み、式中、Ｒ１及びＲ６は、Ｈ、又は１から８個の炭素原子を含有するアルキル基、又はそれらの混合であり、ならびにｎは、少なくとも１であり、前記グリコールが、Ｒ２、Ｒ３、Ｒ４及びＲ５の少なくとも１つが、１から８個の炭素原子を含有するアルキル基である、少なくとも１つの繰返し単位を含む、同一または異なっていてもよいｎ個の繰返し単位を有する、機能性流体組成物。
【請求項２】
前記式Ｉの１つ又はそれ以上のグリコールが、グリコール成分の総重量に基づき、少なくとも５重量％の濃度で存在する、請求項１に記載の機能性組成物。
【請求項３】
前記式Ｉの１つ又はそれ以上のグリコールが、グリコール成分の総重量に基づき、少なくとも１５重量％の濃度で存在する、請求項１に記載の機能性組成物。
【請求項４】
Ｒ６がＨである、請求項１から３のいずれか一項に記載の流体組成物。
【請求項５】
Ｒ２、Ｒ３、Ｒ４及びＲ５の厳密に１つが、１から８個の炭素原子を含有するアルキル基であり、残りがＨである、請求項１から４のいずれか一項に記載の流体組成物。
【請求項６】
Ｒ２、Ｒ３、Ｒ４及びＲ５の少なくとも２つが、１から８個の炭素原子を含有するアルキル基であり、残りがＨである、請求項１から４のいずれか一項に記載の流体組成物。
【請求項７】
前記グリコール成分が、式ＩＩＩ：
（式ＩＩＩ）  Ｒ１Ｏ（ＣＨ２ＣＨ２Ｏ）ｎＲ６
［式中、Ｒ１及びＲ６は、Ｈ、又は１から８個の炭素原子を含有するアルキル基、又はそれらの混合であり、ならびにｎは、少なくとも１である（例えば、ｎは、少なくとも３である）］
の少なくとも１つのグリコールをさらに含む、請求項１から６のいずれか一項に記載の流体組成物。
【請求項８】
前記式Ｉのグリコールが、Ｒ２、Ｒ３、Ｒ４及びＲ５がそれぞれＨである少なくとも１つの第１の繰返し単位と、Ｒ２、Ｒ３、Ｒ４及びＲ５の少なくとも１つ（例えば、１つ、２つ、３つ又は４つ）が、それぞれ、１から８個の炭素原子を含有するアルキル基である少なくとも１つの第２の繰返し単位とを含む、請求項１から７のいずれか一項に記載の流体組成物。
【請求項９】
前記式Ｉの１つ又はそれ以上のグリコールが、式ＩＶ：
（式ＩＶ）  Ｒ１Ｏ（Ｒ７Ｏ）ｎＨ
のグリコールを含み、この場合、（ｉ）ｎが、少なくとも１であり、及びＲ７は、すべてプロピル基であるか、（ｉｉ）ｎが、少なくとも２であり、及びＲ７は、エチル基とプロピル基の混合である、請求項１から８のいずれか一項に記載の流体組成物。
【請求項１０】
前記式Ｉの１つ又はそれ以上のグリコールが、プロピレングリコールエーテル、エチレン−プロピレングリコールエーテル、又は両方を含む、請求項１から９のいずれか一項に記載の流体組成物。
【請求項１１】
前記グリコール成分が、アルコキシル化ポリプロピレングリコール、アルコキシル化ポリエチレン−プロピレングリコール、又は両方である、請求項１から１０のいずれか一項に記載の流体組成物。
【請求項１２】
前記グリコール成分が、式Ｉ及び式ＩＩＩ：
（式ＩＩＩ）  Ｒ１Ｏ（ＣＨ２ＣＨ２Ｏ）ｎＲ６
（式中、Ｒ１及びＲ６の少なくとも一方は、１から８個の炭素原子を含有するアルキル基である）
のアルコキシル化グリコールを含み、前記アルコキシル化グリコールの濃度が、グリコール成分の総重量に基づき約３０重量％より高い、請求項１から１１のいずれか一項に記載の流体組成物。
【請求項１３】
実質的にグリコールホウ酸エステルが無い、請求項１から１２のいずれか一項に記載の流体組成物。
【請求項１４】
式Ｖ：
【化２】
2010540728.tif 000015
［式中、Ｒ１、Ｒ２、Ｒ３、Ｒ４及びＲ５のそれぞれは、Ｈ、又は１から８個の炭素原子を含有するアルキル基、又はそれらの混合であり、ｎは、１から４である］
を含む約０．１重量％から約１０重量％のグリコールホウ酸エステルと、腐食防止剤を含む約０．３重量％から約１０重量％の添加剤パッケージとをさらに含む、請求項１から１２のいずれか一項に記載の流体組成物。
【請求項１５】
ｎ＝３を有するホウ酸エステルの量が、ホウ酸エステルの約９０重量％より多く、ｎ＝２を有するホウ酸エステルの量が、ホウ酸エステルの約０．５重量％から約５．０重量％であり、及びｎ＝４を有するホウ酸エステルの量が、ホウ酸エステルの約０又は０．１重量％から約１５重量％である、請求項１４に記載の流体組成物。
【請求項１６】
ｎ＝３を有するグリコール成分の量が、グリコール成分の約９０重量％より多く、ｎ＝２を有するグリコール成分の量が、グリコール成分の約０．５重量％から約５．０重量％であり、及びｎ＝４を有するグリコール成分の量が、グリコール成分の約０又は０．１重量％から約１５重量％である、請求項１から１５のいずれか一項に記載の流体組成物。
【請求項１７】
約２０５℃以上の乾燥平衡還流沸点、約１４０℃以上の湿潤平衡還流沸点、及び約−４０℃の温度で約１５００ｃＳｔ以下の粘度を有する、請求項１から１６のいずれか一項に記載の流体組成物。
【請求項１８】
約２５０℃以上の乾燥平衡還流沸点、約１４５℃以上の湿潤平衡還流沸点、及び約−４０℃の温度で約１４００ｃＳｔ以下の粘度を有する、請求項１から１７のいずれか一項に記載の流体組成物。
【請求項１９】
前記グリコール成分が、１つ又はそれ以上の高純度グリコール成分を含む、請求項１から１８のいずれか一項に記載の流体組成物。
【請求項２０】
酸化防止剤、消泡剤、腐食防止剤、ｐＨ安定剤、又はそれらの任意の組み合わせを含む添加剤パッケージを含む、請求項１から１９のいずれか一項に記載の流体組成物。
【請求項２１】
前記グリコール成分が、式Ｉ及び式ＩＩＩ［式中、Ｒ１及びＲ６の一方がＨであり、他方がメチル、エチル、プロピル、ブチル又はそれらの任意の組み合わせからなる群より選択される］のアルコキシル化グリコールを少なくとも５０重量％含む、請求項１から２０のいずれか一項に記載の流体組成物。
【請求項２２】
前記グリコール成分が、式Ｉ及び式ＩＩＩ［式中、Ｒ１及びＲ６の一方がＨであり、他方がメチル、エチル、プロピル、ブチル又はそれらの任意の組み合わせからなる群より選択される］のアルコキシル化グリコールを少なくとも７０重量％含む、請求項１から２０のいずれか一項に記載の流体組成物。
【請求項２３】
前記グリコール成分が、流体組成物の総重量に基づき少なくとも７０重量％の濃度で存在する、請求項１から２２のいずれか一項に記載の流体組成物。
【請求項２４】
前記グリコール成分が、流体組成物の総重量に基づき少なくとも８５重量％の濃度で存在する、請求項１から２３のいずれか一項に記載の流体組成物。
【請求項２５】
請求項１から２４のいずれか一項に記載の流体組成物を含むブレーキシステム。
【請求項２６】
ブースタが無い、請求項２５に記載のブレーキシステム。
【請求項２７】
ブレーキシステムにおける流体としての請求項１から２４のいずれか一項に記載の流体組成物の使用。
【請求項２８】
ブースタが無いブレーキシステムにおける流体としての１から２４のいずれか一項に記載の流体組成物の使用。
【発明の詳細な説明】
【技術分野】
【０００１】
優先権主張
本出願は、仮出願第６０／９７６，０１０号（２００７年９月２８日出願）の出願日の利益を主張するものであり、該仮出願の内容は、それら全体が参照により本明細書に組み込まれる。
【０００２】
本発明は、様々な用途に有用である機能性流体に関する。本発明の機能性流体は、低温での突然の動き（例えば、急ブレーキ）、及び／又は十分な動作にとってより低粘度の流体が有益である、自動車両用のアンチロック・ブレーキ・システム、安定性制御システム又は回生ブレーキシステムのためのブレーキ液などの作動液として特に有用である。
【背景技術】
【０００３】
新しく開発された装置、例えば、電子式又は自動アンチロック・ブレーキング・システム、安定性制御システム及び回生ブレーキシステムは、適切な物理及び性能特性を有する高性能作動液（例えば、ブレーキ液）の必要を生じさせた。特に、良好な低温粘度を有し、その上、所望の最低乾燥平衡還流沸点（ＥＲＢＰ）及び湿潤平衡還流沸点（ＷＥＲＢＰ）温度を満たす又は超える、高性能ブレーキ液が強く求められている。ブレーキ液についての最近の国際規格の実例を下に示す：
【表１】
2010540728.tif 000003
【０００４】
そのような所望の機能性流体をもたらす１つの例示的解決法は、「Ｌｏｗ  Ｖｉｓｃｏｓｉｔｙ  Ｆｕｎｃｔｉｏｎａｌ  Ｆｌｕｉｄｓ」と題する、及びすべての目的で参照により本明細書に組み込まれる、所有者共通の米国特許出願公開第２００７／００２７０３９号に紹介されている。有利なことに、これらの従来の機能性流体の成分に比べて新しい及び又は代替の成分を有する機能性流体の提供によりこれらの従来の機能性流体の所望の特性を向上可能であることが判明した。さらに、大幅な費用の発生なしにそのような向上を達成できることがわかった。尚、さらに、そのような機能性流体の従来の成分のみならず新しい成分、又は他の代替の成分の使用により、費用を実際に低下させることが可能であり得る。
【先行技術文献】
【特許文献】
【０００５】
【特許文献１】米国特許出願公開第２００７／００２７０３９号
【発明の概要】
【課題を解決するための手段】
【０００６】
１つの態様において、本発明は、約５０重量％から約１００重量％のグリコール成分を含む機能性流体組成物に関し、該グリコール成分は、式Ｉ：
【化１】
2010540728.tif 000004
の１つ又はそれ以上のグリコールを含み、式中、Ｒ１及びＲ６は、Ｈ、又は１から８個の炭素原子を含有するアルキル基、又はそれらの混合であり、ならびにｎは、少なくとも１であり、該グリコールは、Ｒ２、Ｒ３、Ｒ４及びＲ５の少なくとも１つが、１から８個の炭素原子を含有するアルキル基である、少なくとも１つの繰返し単位を含む、同一または異なっていてもよいｎ個の繰返し単位を有する。
【０００７】
本発明のこの態様は、次の特徴の１つ又は任意の組み合わせによりさらに特徴付けられ得る：式Ｉの１つ又はそれ以上のグリコールが、グリコール成分の総重量に基づき少なくとも５重量％の濃度で存在する；式Ｉの１つ又はそれ以上のグリコールが、グリコール成分の総重量に基づき少なくとも１５重量％の濃度で存在する；Ｒ６がＨである；（式Ｉの）Ｒ２、Ｒ３、Ｒ４及びＲ５の厳密に１つが、１から８個の炭素原子を含有するアルキル基であり、残りがＨである；（式Ｉの）Ｒ２、Ｒ３、Ｒ４及びＲ５の少なくとも２つ（例えば、２つ、３つ又は４つすべて）が、１から８個の炭素原子を含有するアルキル基であり、残りがＨである；前記グリコール成分が、式ＩＩＩ：
（式ＩＩＩ）  Ｒ１Ｏ（ＣＨ２ＣＨ２Ｏ）ｎＲ６
［式中、Ｒ１及びＲ６は、Ｈ、又は１から８個の炭素原子を含有するアルキル基、又はそれらの混合であり、ならびにｎは、少なくとも１である（例えば、ｎは、少なくとも３である）］の少なくとも１つのグリコールをさらに含む；式Ｉのグリコールが、Ｒ２、Ｒ３、Ｒ４及びＲ５がそれぞれＨである少なくとも１つの第１の繰返し単位と、Ｒ２、Ｒ３、Ｒ４及びＲ５の少なくとも１つ（例えば、１つ、２つ、３つ又は４つ）が、それぞれ、１から８個の炭素原子を含有するアルキル基である少なくとも１つの第２の繰返し単位とを含む；式Ｉの１つ又はそれ以上のグリコールが、式ＩＶ：
（式ＩＶ）  Ｒ１Ｏ（Ｒ７Ｏ）ｎＨ
のグリコールを含み、この場合、（ｉ）ｎが少なくとも１であり、及びＲ７がすべてプロピル基であるか、（ｉｉ）ｎが少なくとも２であり、及びＲ７がエチル基とプロピル基の混合である；式Ｉの１つ又はそれ以上のグリコールが、プロピレングリコールエーテル、エチレン−プロピレングリコールエーテル、又は両方を含む；前記グリコール成分が、アルコキシル化ポリプロピレングリコール、アルコキシル化ポリエチレン−プロピレングリコール、又は両方を含む；前記グリコール成分が、式Ｉ及び式ＩＩＩ：
（式ＩＩＩ）  Ｒ１Ｏ（ＣＨ２ＣＨ２Ｏ）ｎＲ６
のアルコキシル化グリコールを含み、この場合、Ｒ１及びＲ６の少なくとも一方は、１から８個の炭素原子を含有するアルキル基であり、該アルコキシル化グリコールの濃度が、グリコール成分の総重量に基づき約３０重量％より高い；前記組成物には、実質的にグリコールホウ酸エステルが無い；前記組成物が、式Ｖ：
【化２】
2010540728.tif 000005
［式中、（式Ｖの）Ｒ１、Ｒ２、Ｒ３、Ｒ４及びＲ５のそれぞれは、Ｈ、又は１から８個の炭素原子を含有するアルキル基、又はそれらの混合であり、ｎは、１から４である］
を含む約０．１重量％から約１０重量％のグリコールホウ酸エステルと、腐食防止剤を含む約０．３重量％から約１０重量％の添加剤パッケージとを含む；ｎ＝３を有するホウ酸エステルが、ホウ酸エステルの約９０重量％より多く、ｎ＝２を有するホウ酸エステルの量が、ホウ酸エステルの約０．５重量％から約５．０重量％であり、及びｎ＝４を有するホウ酸エステルの量が、ホウ酸エステルの約０又は０．１重量％から約１５重量％である；ｎ＝３を有するグリコール成分の量が、グリコール成分の約９０重量％より多く、ｎ＝２を有するグリコール成分の量が、グリコール成分の約０．５重量％から約５．０重量％であり、及びｎ＝４を有するグリコール成分の量が、グリコール成分の約０又は０．１重量％から約１５重量％である；前記組成物が、約２０５℃以上の乾燥平衡還流沸点、約１４０℃以上の湿潤平衡還流沸点、及び約−４０℃の温度で約１５００ｃＳｔ以下の粘度を有する；前記組成物が、約２５０℃以上の乾燥平衡還流沸点、約１４５℃以上の湿潤平衡還流沸点、及び約−４０℃の温度で約１４００ｃＳｔ以下の粘度を有する；前記グリコール成分が、１つ又はそれ以上の高純度グリコール成分を含む；前記組成物が、酸化防止剤、消泡剤、腐食防止剤、ｐＨ安定剤、又はそれらの任意の組み合わせを含む添加剤パッケージを含む；前記グリコール成分が、式Ｉ及び式ＩＩＩ［式中、Ｒ１及びＲ６の一方がＨであり、他方がメチル、エチル、プロピル、ブチル又はそれらの任意の組み合わせからなる群より選択される］のアルコキシル化グリコールを少なくとも５０重量％含む；前記グリコール成分が、前記グリコール成分が、式Ｉ及び式ＩＩＩ［式中、Ｒ１及びＲ６の一方がＨであり、他方がメチル、エチル、プロピル、ブチル又はそれらの任意の組み合わせからなる群より選択される］のアルコキシル化グリコールを少なくとも７０重量％含む；前記グリコール成分が、流体組成物の総重量に基づき少なくとも７０重量％の濃度で存在する；前記グリコール成分が、流体組成物の総重量に基づき少なくとも８５重量％の濃度で存在する。
【０００８】
本発明のこの態様は、少なくとも７０重量％のグリコール成分、ここで、前記グリコール成分は、式Ｉの１つ又はそれ以上のアルコキシル化グリコール：
【化３】
2010540728.tif 000006
［式中、Ｒ６は、Ｈであり、Ｒ１は、１から４個の炭素原子を含有するアルキル基又はその混合であり、及びｎは、少なくとも２であり、該グリコールは、Ｒ２、Ｒ３、Ｒ４及びＲ５の少なくとも１つがメチル基であり、その他がＨである、少なくとも１つの繰返し単位を含む、同一または異なっていてもよいｎ個の繰返し単位を有し、追加の繰返し単位は、第１の繰返し単位と同じもの、（ＣＨ２−ＣＨ２−Ｏ）、又はそれらの組み合わせであり、該式Ｉの１つ又はそれ以上のアルコキシル化グリコールは、前記グリコール成分の総重量に基づき少なくとも１５重量％の濃度で存在する］；任意の式ＩＩＩの１つ又はそれ以上のアルコキシル化グリコール：
（式ＩＩＩ）    Ｒ１Ｏ（ＣＨ２ＣＨ２Ｏ）ｎＲ６
［式中、Ｒ６は、Ｈであり、Ｒ１は、１から４個の炭素原子を含有するアルキル又はその混合であり、及びｎは、少なくとも２である］；および、酸化防止剤、消泡剤、腐食防止剤、ｐＨ安定剤、又はそれらの任意の組み合わせを含む添加剤パッケージとを含み；式Ｉのアルコキシル化グリコールと式ＩＩＩのアルコキシル化グリコールの総量が、前記グリコール成分の総重量に基づき少なくとも５０重量％の濃度で存在する、機能性流体組成物によりさらに特徴付けられ得る。
【０００９】
本発明のもう１つの態様は、本明細書に記載する流体組成物を含むブレーキシステムに関する。本発明のこの態様は、前記ブレーキシステムにブースタが無いことによりさらに特徴付けられ得る。
【００１０】
本発明のさらにもう１つの態様は、ブレーキシステムにおける流体としての、本明細書に記載する流体組成物の使用に関する。例えば、本発明のこの態様は、ブースタが無いブレーキシステムにおける流体としての、本明細書に記載する流体組成物の使用に関する。
【発明を実施するための形態】
【００１１】
本発明の機能性流体組成物は、多数の用途を有するが、ブレーキ液などの作動液として特に有用である。本発明の流体組成物は、グリコール、アルコキシグリコール又は両方のグリコール成分を含む。本流体組成物は、ホウ酸エステルも含み得るが、好ましくは、その組成物の重量に基づき約１０重量％より多くのホウ酸エステルを含まない。組成物の物理特性としては、高乾燥平衡還流沸点（ＥＲＢＰ）、高湿潤平衡還流沸点（ＷＥＲＢＰ）、及び低温粘度が挙げられる。
【００１２】
本発明の機能性流体組成物の一定の実施形態は、それらの物理特性（例えば、ＷＥＲＢＰ、ＥＲＢＰ、及び低温粘度）が上の表の規定のもとでＤＯＴ  ３、ＤＯＴ  ４又はＤＯＴ  ５ブレーキ液についての規定を満たすため、特に有用である。
【００１３】
組成物の物理特性、ならびにホウ酸エステルの存在、又はその不存在により、それはブレーキ液としての機能を特によく果たすことができる。さらに、ホウ酸エステルを有さない組成物が、ＤＯＴ  ３、ＤＯＴ  ４又はＤＯＴ  ５ブレーキ液に必要な要件を満たすことができる。
【００１４】
本発明の機能性流体は、下記の１つ又は任意の組み合わせを含む：
（ａ）組成物の総重量に基づき約５０重量％から約１００重量％のグリコール成分；
（ｂ）全組成物の重量に基づき約０又は約０．０１重量％から約１０重量％のグリコールホウ酸エステル成分；及び
（ｃ）全組成物の重量に基づき約０．１０又は０．３０重量％から約１０重量％の添加剤パッケージ。
【００１５】
前記グリコール成分は、１つ、２つ、３つ又はそれ以上のグリコール及び／又はポリグリコールから一部、実質的に全面的に（少なくとも９０重量％もしくは少なくとも９５重量％）又は全面的に形成され得る。好ましくは、前記グリコール成分のグリコール又はポリグリコールは、式Ｉの式：
【化５】
2010540728.tif 000007
を有し、繰返し単位：
【化４】
2010540728.tif 000008
【００１６】
［式中、Ｒ１、Ｒ２、Ｒ３、Ｒ４、Ｒ５、Ｒ６のそれぞれは、水素（Ｈ）であるか、１から８個又はそれ以上の炭素原子を含有するアルキル基であるか、それらの混合である］を伴う。前記グリコール成分の２０％より多くについて、さらに典型的には５０％より多くについて、及びことによると８０％より多くまでもについて、Ｒ６はＨであることが一般的である。Ｒ６＝Ｈを有するグリコールを実質的に全面的に（少なくとも９０重量％もしくは少なくとも９５重量％）又は完全に全面的に含有するグリコール成分もあり得る。前記グリコール又はポリグリコールが、単純にＲ１が（Ｈ）であるグリコールであるのとは対照的にアルコキシグリコールエーテル（例えば、アルキルでエンドキャップされたアルコキシグリコールエーテル）であるように、Ｒ１又はＲ６のいずれかが、１から８個の炭素原子を含有するアルキル基であり、他方が水素であることが好ましい。典型的には、前記グリコール成分、全流体組成物又は両方の９０重量％未満、さらに典型的には５０重量％未満、及びことによると３０重量％又は２０重量％未満までもについて、Ｒ１とＲ６の両方が（Ｈ）である。前記グリコール又はポリグリコールがアルコキシグリコールジエーテル（例えば、アルキルでダブルエンドキャップされたアルコキシグリコールジエーテル）であるように、Ｒ１及びＲ６が、両方とも、１から８個の炭素原子を含有するアルキル基であることもあり得る。存在する場合、ダブルエンドキャップされたグリコールの濃度は、グリコール成分の典型的には約８０重量％未満、さらに典型的には約５０重量％未満、及びことによると約２０重量％未満でさえある。ダブルエンドキャップされたグリコールが実質的に無い（グリコール成分の約９０重量％未満もしくは約５重量％未満）又は完全に無いグリコール成分もあり得る。本明細書において用いる場合、式Ｉのポリグリコールが少なくとも２又はそれ以上のｎを有すること、及び用語グリコールがすべてのポリグリコールを含むことは、理解される。前記グリコール成分は、式中、Ｒ１及びＲ６が両方ともアルキル基である、Ｒ１及びＲ６が両方ともＨである、Ｒ１及びＲ６の一方がアルキル基であり、他方がＨである、又は組み合わせである、式Ｉのグリコールを含むことができる（例えば、前記グリコール成分は、式中、Ｒ６が水素であり、Ｒ１が、アルキル基、Ｈ、又は組み合わせである、式Ｉのグリコールを含むことができる）ことも理解されるはずである。
【００１７】
前記グリコール成分は、ｎ＝１の場合のグリコールの量を含み得る。そのようなグリコールは、含まれるとき、グリコール成分の少なくとも約０．００１重量％である（例えば、少なくとも約０．０１重量％である）。さらに、そのようなグリコールは、グリコール成分の典型的には約３０重量％未満、さらに典型的には約１０重量％未満、及びさらにいっそう典型的には約５重量％未満である。好ましくは、前記グリコール成分のグリコールは、ｎ＝２の場合のグリコール（例えば、アルコキシグリコール）、ｎ＝３の場合のグリコール（例えば、アルコキシグリコール）、ｎ＝４もしくはそれ以上の場合のグリコール（例えば、アルコキシグリコール）、又はそれらの混合物を含む。さらに好ましいグリコール成分は、ｎ＝２、ｎ＝３、及びｎ＝４又はそれ以上を有するグリコール（例えば、アルコキシグリコール）の混合物を含む。ｎ＝２又はそれ以上の場合のグリコールが、グリコール成分及び／又は全機能性流体中に、そのグリコール成分、その全機能性流体又は両方の少なくとも約５０重量％、さらに典型的には少なくとも約６０重量％及びさらに典型的には少なくとも約７５重量％である量で存在することも好ましい。前記グリコール成分及び／又は全機能性流体は、ｎ＝２又はそれ以上の場合のグリコールから本質的に又は全面的に成ることさえある。ｎ＝２又はそれ以上の場合のグリコールが、グリコール成分及び／又は全機能性流体中に、約９９．９９重量％未満、典型的には約９９重量％未満、さらに典型的には約９０重量％未満、及びさらにいっそう典型的には約８５重量％未満である量で存在することも好ましい。
【００１８】
前記グリコール成分は、Ｒ２、Ｒ３、Ｒ４及びＲ５がそれぞれＨである第１のグリコール（例えば、第１のポリグリコール）の量を典型的には含む。Ｒ６は、好ましくはＨであるが、１から８個の炭素原子を含有するアルキル基であってもよい（例えば、Ｒ６は、メチル、エチル、プロピル、ブチルなどであり得る）。そのような第１のグリコール（例えば、すべてＨであるＲ２、Ｒ３、Ｒ４、Ｒ５及びＲ５をそれぞれが有する式Ｉの単一のグリコールの混合物又は複数のグリコールの混合物）は、含まれるとき、全グリコール成分の少なくとも約３重量％、さらに典型的には少なくとも約１０重量％、及びさらにいっそう典型的には少なくとも約２０重量％である。さらに、そのような第１のグリコールは、全グリコール成分の典型的には約８０重量％未満、さらに典型的には約５０重量％未満、及びさらにいっそう典型的には約３０重量％未満である。そのような第１のグリコールについて、ｎは、少なくとも１であるが、好ましくは、ｎは、２又はそれ以上である。ｎ＝２の場合の第１のグリコールの量は、第１のグリコールの典型的には約２０．００重量％未満（例えば、約０．２５重量％から約２０．００重量％）である。ｎ＝３の場合の第１のグリコールの量は、第１のグリコールの典型的には約２５重量％より多く、さらに典型的には約４０重量％より多く、及び最も好ましくは約７０重量％より多い。ｎ＝３の場合の第１のグリコールの量は、存在する場合、典型的に、約０重量％から約９９．５重量％（例えば、第１のグリコールの約２５．０重量％から約９９．５重量％）であり得る。前記第１のグリコールは、少なくとも４であるｎを有するグリコール、を含む、又は、から本質的にもしくは全面的に成ることがある。例えば、ｎが少なくとも４である第１のグリコールの量は、存在する場合、第１のグリコールの約１０重量％より多い、典型的には約３０重量％より多い、さらに典型的には４５重量％より多い、及び最も典型的には約５０重量％より多いことがある。ｎ＝４の場合の第１のグリコールの量は、第１のグリコールの約５０重量％未満、好ましくは約３０重量％未満であり得る（例えば、典型的に約０又は０．１重量％から約１５重量％である）。当然のことながら、特に別の指定が無い限り、より高い又はより低い全第１のグリコール量、及び異なるｎ値を有する第１のグリコールの特定の量を用いてもよい。前記グリコール成分には第１のグリコールが無い場合もある。限定ではないが、前記第１のグリコールは、式ＩＩＩのグリコール：
（式ＩＩＩ）    Ｒ１Ｏ（ＣＨ２ＣＨ２Ｏ）ｎＲ６
［式中、Ｒ１及びＲ６は、Ｈ、１から８個の炭素原子を含有するアルキル基、又はそれらの混合であり、ならびにｎは、少なくとも１である］
を含み、又は、本質的に含んでなる場合がある。
【００１９】
前記グリコール成分は、Ｒ２、Ｒ３、Ｒ４及びＲ５の少なくとも１つ及び典型的には１つであるほか、２つ、３つ又は４つすべてが、それぞれ、１から８個の炭素原子を含有するアルキル基である、第２のグリコール（例えば、第２のポリグリコール）の量を典型的には含む。Ｒ６は、好ましくはＨであるが、１から８個の炭素原2子を含有するアルキル基であってもよい（例えば、Ｒ６は、メチル、エチル、プロピル、ブチルなどであり得る）。好ましい第２のグリコールは、メチル、エチル、プロピル、ブチル又はそれらの任意の組み合わせを含むＲ２又はＲ３基及びさらに好ましくはＲ４又はＲ５基を含む。さらに、好ましい第２のグリコールは、メチル又はエチル基を含むＲ２又はＲ３基及びさらに好ましくはＲ４又はＲ５基を含む。さらにいっそう好ましい第２のグリコールは、メチル基を含むＲ２又はＲ３基及びさらに好ましくはＲ４又はＲ５基を含む（例えば、第２のグリコールは、プロピレングリコールを含むことができる）。そのような第２のグリコールは、含まれるとき、グリコール成分の少なくとも約３重量％、さらに典型的には少なくとも約１０重量％、及びさらにいっそう典型的には少なくとも約２０重量％である。さらに、そのような第２のグリコールは、グリコール成分の典型的には約８０重量％未満、さらに典型的には約５０重量％未満、及びさらにいっそう典型的には約３０重量％未満である。そのような第２のグリコールについて、ｎは、少なくとも１であるが、好ましくは、ｎは、２又はそれ以上である。いずれの第２のグリコールも、ｎ＝２の場合の第２のグリコールを含むことがあり、又はｎ＝２の場合の第２のグリコールが無いこともある。存在する場合、ｎ＝２の場合の第２のグリコールの量は、第２のグリコールの典型的には約０．０１重量％より多く、さらに典型的には約０．２５重量％より多く、及び典型的には２０重量％未満、さらに典型的には約１０重量％未満、及び最も典型的には５重量％未満（例えば、重量で第２のグリコールの約０．２５重量％から約１０．００重量％）である。ｎ＝３又はそれ以上（例えば、ｎ＝３）の場合の第２のグリコールの量は、典型的に、第２のグリコールの約１０．０重量％から約１００重量％（例えば、約２５．０重量％から約９９．５重量％）である。ｎ＝４又はそれ以上（例えば、ｎ＝４）の場合の第２のグリコールの量は、第２のグリコールの約０重量％から約１００重量％であり得る。例えば、ｎ＝４の場合の第２のグリコールの量は、第２のグリコールの約０又は０．０１重量％から約１５重量％にわたり得る。当然のことながら、特に別の指定が無い限り、より高い又はより低い全第２のグリコール量、及び異なるｎ値を有する第２のグリコールの特定の量を用いてもよい。例えば、前記第２のグリコールは、ｎ＝３を有するグリコール、少なくとも３のｎを有するグリコール、又は少なくとも４のｎを有するグリコールを、主として（例えば、第２のグリコールの約５０重量％より多く）有する場合があり、実質的に全面的に（例えば、第２のグリコールの約９０重量％もしくは約９５重量％より多く）有する場合があり、又は全面的に有する場合さえある。
【００２０】
前記グリコール成分は、典型的には、コポリマーである１つ又はそれ以上の第三のグリコール（例えば、第三のポリグリコール）の量を含み、前記コポリマーは、ブロックコポリマー、ランダムコポリマーなどであり得る。従って、いずれの第三のグリコール（１つのグリコールである場合もあり、又はグリコールの混合物である場合もある）も、典型的には第１の立体配置を有する式Ｉの１つ又はそれ以上の第１の繰返し単位と、第２の立体配置を有する１つ又はそれ以上の第２の繰返し単位とを含む。特に、前記第三のグリコールは、Ｒ２、Ｒ３、Ｒ４及びＲ５がそれぞれＨである式Ｉの少なくとも１つの第１の繰返し単位を典型的には含む。前記第三のグリコールは、Ｒ２、Ｒ３、Ｒ４及びＲ５の少なくとも１つ及び典型的には１つであるほか、２つ、３つ又は４つすべてが、それぞれ、１から８個の炭素原子を含有するアルキル基である、少なくとも１つの第２の繰り返し単位も典型的には含む。例えば、前記第２の繰返し単位は、それぞれが１から８個の炭素原子を含有するアルキル基であるＲ２、Ｒ３、Ｒ４及びＲ５の１つ、２つ、３つ又は４つすべて、及びＨであるその他を有する場合がある。前記第三のグリコールの好ましい第２の繰返し単位は、メチル、エチル、プロピル、ブチル又はそれらの任意の組み合わせを含むＲ２又はＲ３及びさらに好ましくはＲ４又はＲ５を含む。前記第三のグリコールのさらに好ましい第２の繰返し単位は、メチル又はエチル基を含むＲ２又はＲ３基及びさらに好ましくはＲ４又はＲ５基を含む。前記第三のグリコールのさらにいっそう好ましい第２の繰返し単位は、メチル基を含むＲ２又はＲ３基及びさらに好ましくはＲ４又はＲ５基を含む。例えば、前記第２の繰返し単位は、メチル基であるＲ２、Ｒ３、Ｒ４及びＲ５のうちの１つ、及びＨである残りのものを含むものを有していてもよい。従って、前記第三のグリコールは、エチレングリコール単位（例えば、−ＣＨ２−ＣＨ２−Ｏ−）とプロピレングリコール単位（例えば、ＣＨ（ＣＨ３）−ＣＨ２−Ｏ又はＣＨ２−ＣＨ（ＣＨ３）−Ｏ）の少なくとも一方、のみならず両方を含有し得る。いずれの第三のグリコールにおいても、Ｒ６は、好ましくはＨであるが、１から８個の炭素原子を含有するアルキル基であってもよい（例えば、Ｒ６は、メチル、エチル、プロピル、ブチルなどであり得る）。そのような第三のグリコールは、含まれるとき、グリコール成分の少なくとも約３重量％、さらに典型的には少なくとも約１０重量％、及びさらにいっそう典型的には少なくとも約２０重量％である。前記グリコール成分は、第三のグリコールを主として（例えば、５０重量％より多く）、実質的に全面的に（例えば、９０重量％より多く、もしくは９５重量％より多くでさえ）、又は全面的に有する場合がある。さらに、そのような第三のグリコールは、グリコール成分の典型的には約８０重量％未満、さらに典型的には約５０重量％未満、及びさらにいっそう典型的には約３０重量％未満である。そのような第三のグリコールについて、ｎは、少なくとも２又はそれ以上である。ｎ＝２の場合の第三のグリコールの量は、存在する場合、第三のグリコールの典型的には０．０１重量％より多く、さらに典型的には約０．２５重量％より多く、ならびに典型的には約２０重量％未満、さらに典型的には約１０重量％未満、及び最も典型的には５重量％未満（例えば、重量で第三のグリコールの約０．２５重量％から約１０．００重量％）である。ｎ＝３又はそれ以上（例えば、ｎ＝３）の場合の第三のグリコールの量は、典型的に、第三のグリコールの約１０．０重量％から約１００重量％（例えば、約２５．０重量％から約９９．５重量％）である。ｎ＝４又はそれ以上（例えば、ｎ＝４）の場合の第三のグリコールの量は、第三のグリコールの約０重量％から約１００重量％であり得る。例えば、ｎ＝４の場合の第三のグリコールの量は、第三のグリコールの約０又は０．０１重量％から約１５重量％の範囲となりうる。当然のことながら、特に別の指定が無い限り、より高い又はより低い全第三のグリコール量、及び異なるｎ値を有する第三のグリコールの特定の量を用いてもよい。例えば、前記第三のグリコールは、ｎ＝３を有するグリコール、少なくとも３のｎを有するグリコール、又は少なくとも４のｎを有するグリコールを、主として（例えば、第三のグリコールの５０重量％より多く）、実質的に（例えば、第三のグリコールの９０重量％もしくは９５重量％より多く）、又は全面的に含んで成る場合さえある。
【００２１】
前記グリコール成分は、第１のグリコール、第２のグリコール、第三のグリコールの１つもしくはそれ以上、又はそれらの任意の組み合わせを含有し得る。好ましくは、前記グリコール成分は、少なくとも１つもしくはそれ以上の第２のグリコール、第三のグリコール又はそれらの組み合わせを含む。すべての第２のグリコール（例えば、Ｒ１がＨである第２のグリコール、Ｒ１が、１から８個の炭素原子を有するアルキルである、第２のグリコール、又は両方）とすべての第三のグリコール（例えば、Ｒ１がＨである第三のグリコール、Ｒ１が、１から８個の炭素原子を有するアルキルである、第三のグリコール、又は両方）の総濃度は、グリコール成分の総重量に基づき少なくとも約０．５重量％、好ましくは少なくとも約５重量％、さらに好ましくは少なくとも約１５重量％、及び最も好ましくは少なくとも約２０重量％（例えば、約２２重量％、約４５重量％、又はさらには約１００重量％）であり得る。前記グリコール成分は、１つ又はそれ以上の第２のグリコール及び第三のグリコールを含む場合もあり、第２のグリコールが無くてもよく、又は第三のグリコールがなくてもよい。
【００２２】
いずれの第２のグリコール、第三のグリコールも、又は両方とも、式ＩＶの１つ又はそれ以上のグリコール：
（式ＩＶ）    Ｒ１Ｏ（Ｒ７Ｏ）ｎＨ
（式中、ｎは少なくとも１であり及びＲ７はすべてプロピル基である、又はｎは少なくとも２であり及びＲ７はエチル基とプロピル基の混合である）
を含み、又は、本質的に含んでなり、又は含んでなる場合さえある。
【００２３】
前記グリコール成分は、式Ｉ、式ＩＩＩ、又は両方のアルコキシル化グリコールを含む場合があり、その場合、Ｒ１及びＲ６の少なくとも一方（例えば、厳密に一方）は、１から８個の炭素原子を有するアルキル（例えば、メチル、エチル、プロプル、又はブチル）である。そのようなアルコキシル化グリコール（すなわち、アルコキシグリコール）は、前記グリコール成分の、又はさらには前記機能性流体の、少なくとも３０重量％、好ましくは少なくとも５０重量％、及びさらに好ましくは少なくとも約６０重量％に相当し得る。
【００２４】
有利なことに、言及したそれぞれのタイプのグリコール、特に第２のグリコール及び第三のグリコールの使用は、前記流体の様々な特性の獲得を助長し得る。そのような特性としては、限定ではないが、より高い沸点、より低い粘度、より大きな潤滑性、それらの組み合わせなどを挙げることができる。
【００２５】
前記グリコール成分の適するＲ１基としては、１から８個の炭素原子を含有するアルキル基が挙げられる。好ましいグリコール成分としては、メチル、エチル、プロピル、ブチル又はそれらの任意の組み合わせを含むＲ１基が挙げられる。
【００２６】
限定ではないが、有用なグリコール（例えば、アルコキシグリコール又は別様のもの）の例としては、メトキシトリグリコール、メトキシジグリコール、メトキシポリグリコール、エトキシトリグリコール、エトキシジグリコール、エトキシテトラグリコール、プロポキシトリグリコール、ブトキシトリグリコール（例えば、トリエチレングリコールモノブチルエーテル）、ブトキシジグリコール（例えば、ジエチレングリコールモノブチルエーテル）、ブトキシテトラグリコール、ペントキシジグリコール、ペントキシトリグリコール、２−エチルヘキシルジグリコール又はそれらの任意の組み合わせが挙げられる。
【００２７】
前記グリコール成分の好ましいグリコール（例えば、アルコキシグリコール）としては、限定ではないが、メトキシトリグリコール、メトキシジグリコール、メトキシポリグリコール（例えば、ｎ＝４もしくはそれ以上）、メトキシテトラグリコール、エトキシポリグリコール（例えば、ｎ＝４もしくはそれ以上）、エトキシトリグリコール、エトキシジグリコール、エトキシテトラグリコール、ブトキシポリグリコール（例えば、ｎ＝４もしくはそれ以上）、ブトキシトリグリコール、ブトキシジグリコール、ブトキシテトラグリコール、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノブチルエーテル、ポリプロピレングリコールモノプロピルエーテル、又はそれらの任意の組み合わせが挙げられる。さらに好ましいアルコキシグリコール成分は、メトキシトリグリコール、メトキシジグリコール、メトキシポリグリコール（例えば、ｎ＝４もしくはそれ以上）、ブトキシトリグリコール、ブトキシジグリコール、ブトキシポリグリコール（例えば、ｎ＝４もしくはそれ以上）、トリエチレングリコールモノヘキシルエーテル、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、トリプロピレングリコールモノブチルエーテル、ポリプロピレングリコールモノプロピルエーテル、ポリプロピレングリコールモノブチルエーテル又はそれらの任意の組み合わせを含む。最も好ましいアルコキシグリコール成分は、メトキシポリグリコール（例えば、ｎ＝４もしくはそれ以上）、ブトキシジグリコール、ブトキシトリグリコール、ブトキシポリグリコール（例えば、ｎ＝４もしくはそれ以上）、トリエチレングリコールモノプロピルエーテル、トリプロピレングリコールモノプロピルエーテル、トリプロピレングリコールモノブチルエーテル、ポリプロピレングリコールモノプロピルエーテル、又はプロピレングリコールモノブチルエーテルの組み合わせ（例えば、混合物）を含む。
【００２８】
有用なグリコール（例えば、アルコキシグリコールなど）のさらなる例としては、限定ではないが、ジエチレングリコールモノプロピルエーテル、トリエチレングリコールモノプロピルエーテル、ジプロピレングリコールモノメチルエーテル、ジプロピレングリコールモノプロピルエーテル、トリプロピレングリコールモノプロピルエーテル、ジプロピレングリコールモノブチルエーテル、ジプロピレングリコールモノメチルエーテル、トリプロピレングリコールモノエチルエーテル、トリプロピレングリコールモノプロピルエーテル、トリプロピレングリコールモノブチルエーテル、ポリプロピレングリコールモノプロピルエーテル、ポリプロピレングリコールモノブチルエーテル、ポリブチレングリコール モノプロピルエーテル、ポリブチレングリコールモノブチルエーテル、又はそれらの任意の組み合わせが挙げられる。
【００２９】
前記グリコール成分についての追加の適するグリコールとしては、式中、Ｒ１及びＲ６が両方ともＨである式Ｉのグリコール（例えば、第１のグリコール、第２のグリコール、第三のグリコール、又はそれらの混合物）を挙げることができる。そのようなグリコール（例えば、ジオール）は、希釈剤又は潤滑剤として作用することができる。例えば、本発明の機能性流体は、その組成物の総重量に基づき約５０重量％未満、好ましくは約４０重量％未満、及びさらに好ましくは約３０重量％未満（例えば、約０重量％から約３０重量％）の希釈剤又は潤滑剤を含む場合がある。
【００３０】
前記グリコール成分は、式中、Ｒ１及びＲ６が、両方とも、１から８個の炭素を有するアルキルである、式Ｉのグリコール（例えば、第１のグリコール、第２のグリコール、第三のグリコール、又はそれらの混合物）も含む場合がある。そのようなグリコールは、２つの末端エーテル基を有すること、及びアルコール基が無いことを特徴付けられ得る。
【００３１】
限定ではないが、有用なアルコキシグリコールの調製方法としては、アルキレンオキシドとアルコールを反応させてアルキルグリコールを生成させるアルコキシル化反応が挙げられる。
【００３２】
１つの態様において、前記グリコール成分における高純度アルコキシグリコールの使用は好ましい。例えば、高純度アルコキシグリコールの使用により、適する低温粘度を達成することができる。詳細には、高純度ブトキシトリグリコール及びブトキシジグリコールを個々に使用して、又は併用して、所望の低温粘度の維持を助長することができる。１つの態様において、高純度アルコキシグリコールは、少なくとも約９０％の純度；少なくとも約９７％の純度、又は少なくとも約９８％の純度である。１つの好ましい実施形態では、高純度ブトキシトリグリコール及び高純度ブトキシジグリコールが、本流体組成物に用いられ、ならびに好ましくはそのグリコール成分の少なくとも５０重量％及びさらに好ましくは少なくとも７５重量％である。
【００３３】
用いられるとき、好ましくは、前記グリコールホウ酸エステル成分は、式：
【化７】
2010540728.tif 000009
を有し、繰返し単位：
【化６】
2010540728.tif 000010
を伴い、これらの式中、Ｒ１、Ｒ２、Ｒ３、Ｒ４及びＲ５は、式Ｉに関して指定したとおりの基のいずれかであり得、ならびにｎは、式Ｉに関して指定したとおりであり得る。従って、前記グリコールホウ酸エステル成分は、本明細書において式Ｉに関して論じたように、グリコール成分の第１のグリコール、グリコール成分の第２のグリコール、グリコール成分の第三のグリコール、又はそれらの任意の組み合わせの繰返し単位のいずれかを有し得る。前記グリコールホウ酸エステル成分及び任意のボラート含有化合物が、グリコール成分の一部と見なされず、むしろ独立していることが理解される。
【００３４】
任意のグリコールホウ酸エステル成分の例としては、参照により本明細書に組み込まれる２０００年１１月１０日出願の米国特許第６，５５８，５６９号に開示されている（例えば、第３欄の１３〜４０行目参照）アルコキシグリコールホウ酸エステル成分、例えば、メトキシトリエチレングリコールホウ酸エステル、エトキシトリエチレングリコールホウ酸エステル、ブトキシトリエチレングリコールホウ酸エステル又はそれらの任意の組み合わせが挙げられる。ホウ酸エステル成分が組成物中に存在する場合、それは、好ましくは、その機能性流体の０．０１重量％より多い又は１重量％より多い量で存在するが、同じく好ましくは、その機能性流体の約１０重量％未満の量で存在する。さらに好ましくは、前記ホウ酸エステル成分は、組成物中にその機能性流体の約４重量％未満の量で存在する。１つの実施形態において、本発明の機能性流体組成物には、一切のホウ酸エステル成分が実質的に無い（例えば、その機能性流体の約０．５重量％未満の量で存在する）又は完全に無い。
【００３５】
グリコールボラート成分が組成物中にあるとき、それは、典型的には、グリコール基がその組成物の実質的な部分に相当する場合である。本明細書において定義するような、そのようなグリコール基は、式Ｉ及び式Ｖの一部分であって、それらの式のＲ６基（水素原子であり得る）又は（Ｂ）ホウ素原子に付いている部分である。従って、そのようなグリコール基は、次のように表すことができる：
【化８】
2010540728.tif 000011
これらのグリコール基は、全組成物の少なくとも約５０重量％、さらに典型的には少なくとも約６０重量％、さらにいっそう典型的には少なくとも約８０重量％に相当し、及びことによると少なくとも約９０重量％に相当することさえある。
【００３６】
流体組成物は、添加剤パッケージ、すなわち、１つ又はそれ以上の態様における組成物の性能を最良の状態に調整するために用いられる添加剤の１つ又は組み合わせ、を含んでいてもよい。前記添加剤パッケージは、存在する場合、機能性流体の典型的には少なくとも約０．３重量％、さらに典型的には少なくとも約１．０重量％、及びさらにいっそう典型的には少なくとも約３重量％である。前記添加剤パッケージは、存在する場合、機能性流体の典型的には約８．０重量％未満であり、さらに典型的には約５．０重量％未満であり、及びことによると約４又は３．５重量％未満でさえある。
【００３７】
適する添加剤パッケージは、限定ではないが、腐食防止剤、安定剤、例えばｐＨ安定剤、潤滑剤、耐磨耗剤、消泡剤、酸化防止剤、又は任意のそれらの組み合わせを含み得る。
【００３８】
多くの公知酸化防止剤、例えば、アルカノールアミン又はアルキルアミン及び他の有機アミンは、ホウ酸エステルを含有する機能性流体の低温粘度を上昇させ、その結果として、例えば、参照により組み込まれる１９９６年６月２０日出願のＥＰ０７５００３３号（例えば、２頁５５行目から３頁５６行目参照）及び参照により組み込まれる１９９４年３月９日出願のＥＰ０６１７１１６号（例えば、２頁１４行目から３頁７行目、及び４頁１〜１６行目参照）に開示されているより複雑で高価な添加剤の使用を招く。少量のホウ酸エステルを使用することにより、本流体組成物は、公知の腐食防止剤を使用して、尚、所望の低温粘度を達成することができる。加えて、低粘度を犠牲にすることなく改善された安定性又は耐腐食性を獲得するために、腐食防止剤及び添加剤の増量を用いることができる。
【００３９】
本発明の機能性流体組成物において使用することができる腐食防止剤のクラスの例としては、脂肪酸、例えばラウリン酸、パルミチン酸、ステアリン酸又はオレイン酸、リン又はリン酸と脂肪族アルコールのエステル、亜リン酸エステル、例えばエチルホスフェート、ジメチルホスフェート、イソプロピルホスフェート、亜リン酸ブチル、亜リン酸トリフェニル及び亜リン酸ジイソプロピル、ヘテロ環式窒素含有化合物、例えばベンゾトリアゾールもしくはその誘導体又は任意の組み合わせ、場合によっては１，２，４トリアゾール及び／又はその誘導体を有する前述の化合物（参照により本明細書に組み込まれるＰｉｅｒｒｅ  Ｌｅｖｅｓｑｕｅによる１９９９年２月２日出願の米国特許第６，０７４，９９２号（例えば、第２欄の６５行目から第３欄の１２行目参照）、及び参照により本明細書に組み込まれるＭｃＰｈａｉｌらによる１９６５年１２月１日出願の英国特許第１，１１１，６８０号（例えば、１頁１０行目から２頁８行目参照）参照）が挙げられる。腐食防止剤として有用な他のアミン化合物としては、アルキルアミン、例えばジ−ｎ−ブチルアミン及びジ−ｎ−アミルアミン、シクロヘキシルアミンならびにそれらの塩が挙げられる。本発明の機能性流体組成物において腐食防止剤として特に有用であるアミン化合物としては、アルカノールアミン、好ましくは、１から３個のアルカノール基を含有し、それぞれのアルカノール基が１から６個の炭素原子を含有するものが挙げられる。有用なアルカノールアミンの例としては、モノ、ジ及びトリメタノールアミン、モノ、ジ及びトリエタノールアミン、モノ、ジ及びトリプロパノールアミン、ならびにモノ、ジ及びトリイソプロパノールアミンが挙げられる。１つの態様では、容易に入手でき、安価であるジイソプロパノールアミンが用いられる。
【００４０】
前記添加剤パッケージは、有利なことに、機能性流体組成物の性能を強化するために、１つ又はそれ以上の腐食防止剤に加えて、他の添加剤成分、例えば消泡剤、ｐＨ安定剤、酸化防止剤など（すべて、熟練した配合者には周知である）も含有することができる。腐食防止剤との組み合わせでのそのような他の添加剤は、機能性流体組成物の総重量に基づき、通常、約０．３から約１０．０重量％の量で存在する。
【００４１】
１つの好ましい添加剤パッケージは、腐食防止剤（例えば、ジイソプロパノールアミン  ＣＡＳ＃１１０−９７−４）、ｐＨ安定剤（例えば、硝酸ナトリウム  ＣＡＳ＃２３−７２１−３）、消泡剤（例えば、Ｕｎｉｏｎ  Ｃａｒｂｉｄｅ  Ｃｏｒｐｏｒａｔｉｏｎから入手できるＳＡＧ  Ａｎｔｉｆｏａｍ  ＣＡＳ＃６３１４８−６２−９）、及び酸化防止剤（例えば、２，４−ジメチル−６−ｔ−ブチルフェノール  ＣＡＳ＃１８７９−０９−０）を含む。
【００４２】
ＥＲＢＰもしくはＷＥＲＢＰ温度を許容レベルより下に低下させないように、又は低温粘度を許容レベルより上に上昇させないように注意する限りにおいて、他の材料を本発明の機能性流体に配合できると考えられる。例えば、本発明の機能性流体は、その組成物の総重量に基づき、約０又は０．１０重量％から約３０重量％の希釈剤又は潤滑剤、例えば、ポリエチレンオキシド、ポリプロピレンオキシド、ポリグリコール（例えば、モノエチレングリコール、ジエチレングリコール、トリエチレングリコール、テトラエチレングリコール、及びエチレングリコールのより高いモルの付加体の混合物）、ポリ（アルキレンオキシド）ジアルコキシグリコール、ホウ酸コ−エステル、又はそれらの任意の組み合わせなどを含むことができる。１つの好ましい実施形態は、潤滑剤、希釈剤、アルコキシもしくはアルコキシエステルグリコール以外のポリグリコール、又はそれらの任意の組み合わせを、例えば、約５重量％から約２５重量％の量で、さらに好ましくは、約１５重量％と約２２重量％の間の量で、及び最も好ましくは、約１８．５重量％と約１９．５重量％の間の量で含む。
【００４３】
米国特許第４，３７１，４４８号、ＥＰ０７５００３３号及びＥＰ０６１７１１６号（すべての目的で参照により本明細書に組み込まれる）に開示されているものなどのより低い粘度を達成するために配合される他の流体に本発明の教示を応用して、許容される最低ＥＲＢＰ及びＷＥＲＢＰ温度を維持しながら粘度をさらに低下させることができることも考えられる。
【００４４】
本発明の流体組成物は、少なくとも約２０５℃、好ましくは少なくとも約２４０℃、さらに好ましくは少なくとも約２５０℃、及び最も好ましくは少なくとも２６０℃又は２７０℃以上（例えば、２９０℃より高い、又は３００℃までも）のＥＲＢＰを有する。本発明の流体組成物は、少なくとも約１４０℃、好ましくは少なくとも約１４４℃、及びさらに好ましくは少なくとも約１４６℃又は少なくとも約１５０℃以上（例えば、１６０℃）のＷＥＲＢＰを有する。本流体組成物の−４０℃での低温粘度は、好ましくは１５００センチストーク（ｃＳｔ）未満、好ましくは約１４５０又は約１４００センチストローク（ｃＳｔ）未満、さらに好ましくは約１３００ｃＳｔ未満、さらに好ましくは約１２５０又は約１０００ｃＳｔ未満、及びことによると約８８０ｃＳｔ未満である。
【００４５】
実施例配合物
【００４６】
以下の実施例は、限定するためのものではなく、本発明の一定の好ましい実施形態を示すするものである。
[実施例１〜３]
【００４７】
表２に示すとおりの実施例１〜３（ＥＸ．１〜３）は、アルコキシル化エチレングリコール（例えば、エトキシトリグリコール、ブトキシトリグリコール、及びブトキシジグリコール）を含む第１のグリコールと、アルコキシル化プロピレングリコールを含む第２のグリコールとを含む、機能性流体組成物を示す。該ポリグリコール（すなわち、ポリエチレングリコールモノエチルエーテル、プロピレングリコールモノプロピルエーテル、及びポリプロピレングリコールモノブチルエーテル）は、ｎ≧４を有する９０〜９９．８重量％の分子、ｎ＝３を有する０．１〜１０重量％の分子、及びｎ＝２を有する０．１〜１０重量％の分子を含有する。トリプロピレングリコールモノプロピルエーテル混合物は、ｎ＝３を有する＞９０重量％の分子、ｎ＝２を有する＞０．１％の分子、及びｎ≧４を有する＞０．１％の分子を含有する。この組成物は、エチレングリコール（すなわち、アルコキシル化されていない第１のグリコール）の潤滑剤も含む。ＥＸ．１〜３における潤滑剤は、約１５〜３５重量％のジエチレングリコール、約３５〜５５重量％のトリエチレングリコール、及び約２５〜４５重量％のポリエチレングリコール（少なくとも４のｎを有する）を含む。
[実施例４]
【００４８】
実施例４（Ｅｘ．４）は、表２に示すとおり、第三のグリコール（例えば、ポリエチレン−プロピレングリコールモノメチルエーテル及びポリエチレン−プロピレングリコールモノブチルエーテル）を含む（例えば、から本質的になる）機能性流体組成物を示す。前記ポリエチレン−プロピレングリコールモノエチルエーテルは、約２００〜３００ダルトンの分子量を有し、該ポリエチレン−プロピレングリコールモノブチルエーテルは、約２００〜４００ダルトンの分子量を有する。該ポリエチレン−プロピレングリコールモノエチルエーテル、該ポリエチレン−プロピレングリコールモノブチルエーテル、又は両方は、約１０重量％未満（例えば、約５重量％未満）の第１のグリコール（例えば、アルコキシル化ポリエチレングリコール）、第２のグリコール（例えば、アルコキシル化ポリプロピレングリコール）、又は両方を含有し得る。
【表２】
2010540728.tif 000012
【００４９】
機能性流体組成物についてのこれらの配合物を分析して、ＤＯＴ３ブレーキ液要件に関するそれらの物理特性を測定した。表３に示すとおりのそれらの物理特性は、米国連邦自動車規格（Federal Motor Vehicle Standard）１１６に示されている、セクション５７１．１１６以降で見つけられる試験手順を用いて測定した。
【表３】
2010540728.tif 000013
【００５０】
本発明の機能性流体は、非常に多数の機械システム（例えば、油圧リフト、クレーン、フォークリフト、ブルドーザー、油圧ジャッキ、ブレーキシステム、それらの組み合わせなど）のための作動液としての使用によく適する。これらの流体組成物の高いＥＲＢＰ、ＷＥＲＢＰ、及び低温粘度は、運搬車両（例えば、固定及び回転翼航空機、列車、クラス１から８の自動車など）におけるブレーキシステムによく適する。これらのブレーキシステムとしては、アンチロック・ブレーキング・システム（ＡＢＳ）、安全性制御システム、又はそれらの組み合わせが挙げられる。従って、本発明は、本明細書に開示する流体組成物を含むこれらのシステムのいずれかを含む。
【００５１】
従来の自動車ブレーキシステムは、マスターシリンダに作動可能に接続された押圧機構、空気圧又は油圧ブースタ、ブレーキライン、及びブレーキ機構を含む。ブレーキを作動させるために、作業者は押圧機構を押し、するとマスターシリンダがブレーキ液に圧をかけ、そのブレーキ液がブレーキラインを通ってブレーキ機構に送られ、そのブレーキ機構が単数又は複数の車輪の動きを少なくとも部分的に阻止する。従来のブレーキ液の高い粘度のため、従来のブレーキシステムは、ブレーキ機構を適切に作動させるために（例えば、１つ又はそれ以上の車輪が路面でスリップしているときの衝突、又はそれらの組み合わせを避けるために）ブレーキ液にかける圧力を増すためのブースタポンプを必要とする。
【００５２】
本発明のブレーキシステムは、上で説明した低粘度機能性流体、従来のより高い粘度のブレーキ液、又はそれらの任意の組み合わせを含むことができる。好ましいブレーキシステムは、上で説明した低粘度機能性流体から本質的になるブレーキ液を含む。さらに、本発明のブレーキシステムは、ブースタポンプ（例えば、プリチャージ・ブースタポンプ）を場合によっては含み得るが、本開示ブレーキ液の使用はブースタポンプを不要にすることができるので、好ましくは、ブースタポンプは、本ブレーキシステムには含まれない。ブースタポンプが含まれないことは、ブースタポンプが必要とされたシステムより費用が節約されることを意味するだろう。
【００５３】
さらに、複数の成分もしく段階の機能もしくは構造を単一の成分もしくは段階に組み合わせることができること、又は１つの段階もしくは成分の機能もしくは構造を複数の段階もしくは成分間で分割できることは理解されうる。本発明は、これらの組み合わせのすべてを意図している。別様に述べていない限り、本明細書において示された様々な構造の寸法及び幾何学的配置は、本発明を限定するためのものではなく、他の寸法又は幾何学的配置が可能である。複数の構成成分又は段階を単一の統合された構造又は段階によって提供することができる。あるいは、単一の統合された構造又は段階を独立した複数の成分又は段階に分割してもよい。加えて、本発明の特徴を、例証した実施形態の１つだけに関する文脈の中で説明していることがあるが、任意の所与の用途のために、そのような特徴を他の実施形態の１つ又はそれ以上の他の特徴と組み合わせてもよい。本明細書における特有な構造の作製及びそれらの操作も本発明の方法を構成するということも理解される。本発明は、本明細書における方法の実施の結果として生ずる中間体及び最終製品も包含する。「含む（comprising）」及び「含む（including）」の使用は、列挙した特徴「から本質的になる（consist essentially of）」又は「からなる（consist of）」実施形態も意図している。
【００５４】
本明細書に提示する説明及び具体例は、他の当業者に本発明、その原理及びその実際の用途を知らせるためのものである。当業者は、特定の使用の要件に最適であり得るように、本発明をその非常に多数の形態で適応させること及び適用することができる。従って、述べたような本発明の特定の実施形態は、本発明を網羅するもの又は限定するものと解釈されない。従って、本発明の範囲は、上の説明を参照して決めるべきではなく、その代わり、添付の特許請求の範囲を、そのような特許請求の範囲が権利を受ける等価物の全範囲と共に参照して、決めるべきである。特許出願及び公報を含めて、すべての論文及び参考文献の開示は、すべての目的で参照により組み込まれる。
【国際調査報告】
2010540728.tif 000017
2010540728.tif 000018
2010540728.tif 000019